(57)【要約】      （修正有）【課題】構造強度の不足に起因する変形による倒壊を防止するためのフレームと、支持棒を含むソーラーパネルのフレーム強化モジュールを提供する。【解決手段】第１間隔で離隔される２本の第１フレームストリップ３０と、第２間隔で離隔され且つ２本の第１フレームストリップの間に設けられる２本の第２フレームストリップ４０と、第１フレームストリップと第２フレームストリップとの隣接する両端に取り付けるための４つの連結構造２０Ａと、第１フレームストリップおよび第２フレームストリップにより囲まれてソーラーパネルを装着するための収納空間とを備えるフレーム１０と、両端が第２フレームストリップにそれぞれ固定されソーラーパネルを支持する支持棒５０とを有する。【選択図】図１
0003205882.tif 000002
【実用新案登録請求の範囲】
【請求項１】
ソーラーパネルを固定するためのソーラーパネルのフレーム強化モジュールにおいて、
第１間隔で離隔される２本の第１フレームストリップと、第２間隔で離隔され且つ前記２本の第１フレームストリップの間に設けられる２本の第２フレームストリップと、前記第１フレームストリップと前記第２フレームストリップとの隣接する両端に取り付けるための４つの連結構造と、前記第１フレームストリップおよび前記第２フレームストリップにより囲まれてソーラーパネルを装着するための収納空間とを備えるフレームと、
両端が前記２本の第２フレームストリップにそれぞれ固定され、前記ソーラーパネルを支持する支持棒と、
を有することを特徴とするソーラーパネルのフレーム強化モジュール。
【請求項２】
前記連結構造は、前記第１フレームストリップの一端に設けられるバックルと、前記第２フレームストリップの一端に設けられるバックル受けを含むことを特徴とする請求項１に記載のソーラーパネルのフレーム強化モジュール。
【請求項３】
前記連結構造は、第１連結アームと、第１連結アームの一端に連結される第２連結アームと、少なくとも第１連結アームから突出される第１固定部と、少なくとも第２連結アームから突出される第２固定部とを含み、
前記第１連結アームと前記第２連結アームは互いに角度を持って連結され、
前記第１フレームストリップは、前記連結構造と連結される第１端部と、前記第１端部に位置し且つ前記第１連結アームに挿設される第１収納部と、少なくとも前記第１収納部の第１内壁面に設けられ且つ前記第１固定部と相互係合する第１係止穴を含み、
前記第２フレームストリップは、前記連結構造と連結される第２端部と、前記第２端部に位置し且つ前記第２連結アームに挿設される第２収納部と、少なくとも前記第２収納部の第２内壁面に設けられ且つ前記第２固定部と相互係合する第２係止穴を含むことを特徴とする請求項１に記載のソーラーパネルのフレーム強化モジュール。
【請求項４】
前記第１フレームストリップは、第１外壁面から延長される第１取付側溝をさらに含み、
前記第２フレームストリップは、第２外壁面から延長される第２取付側溝をさらに含み、
前記第１取付側溝および前記第２取付側溝がソーラーパネルを固定する支持溝として形成されることを特徴とする請求項２又は３に記載のソーラーパネルのフレーム強化モジュール。
【請求項５】
前記第１収納部は、第１管壁と、前記第１管壁に囲まれる第１中空通路とを含み、
前記第１フレームストリップは、前記第１管壁の外側縁から上方に延長される第１延長部を含み、
前記第１取付側溝は、前記第１延長部と前記第１管壁との間に形成されることを特徴とする請求項４に記載のソーラーパネルのフレーム強化モジュール。
【請求項６】
前記第２収納部は、第２管壁と、前記第２管壁に囲まれる第２中空通路とを含み、
前記第２フレームストリップは、前記第２管壁の外側縁から上方に延長される第２延長部を含み、
前記第２取付側溝は、前記第２延長部と前記第２管壁との間に形成されることを特徴とする請求項４に記載のソーラーパネルのフレーム強化モジュール
【請求項７】
前記第１係止穴と前記第２係止穴とは、それぞれ凹溝とすることを特徴とする請求項２又は３に記載のソーラーパネルのフレーム強化モジュール。
【請求項８】
前記第１係止穴と前記第２係止穴とは、それぞれ貫通穴とすることを特徴とする請求項２又は３に記載のソーラーパネルのフレーム強化モジュール。
【請求項９】
前記第２フレームストリップは、前記支持棒のボルト穴に位置合わせされた貫通穴と、前記ボルト穴に位置合わせされた貫通穴を通り抜けてボルト穴に螺合されるボルトとを含むとともに、前記支持棒のリベット穴に位置合わせされた貫通穴と、前記リベット穴に位置合わせされた貫通穴を通り抜けてリベット穴に打ち込むリベットとを含むことを特徴とする請求項１に記載のソーラーパネルのフレーム強化モジュール。
【請求項１０】
前記第２フレームストリップは、支持棒の一端がクランプされる固定クランプブロックを含むことを特徴とする請求項１に記載のソーラーパネルのフレーム強化モジュール。
【考案の詳細な説明】
【技術分野】
【０００１】
本考案は、フレームモジュールに関し、特にソーラーパネルのフレーム強化モジュールに関する。
【背景技術】
【０００２】
電力は人間の日常生活で欠かせないエネルギーの一つである。日常生活において、電力で駆動される様々な電気機器が使用されており、電力源としては、例えば、原子力発電、火力発電、風力発電、太陽光発電など多種類が存在する。しかし、原子力発電では原子力放射線の懸念があり、火力発電では環境を汚染する欠点があり、風力発電では適切な場所を選択する必要がある一方、太陽光発電は、自然界の太陽光をエネルギー源としており、クリーンエネルギーと見なすことができる。従って、太陽光発電は、その他の発電方法と比べると、低コストまたは環境負荷が小さいなどの利点があって、利用率が徐々に増加しつつある。
【０００３】
太陽光発電の原理については、太陽から照射される太陽光がソーラーパネルによって、光電効果の原理で、電気エネルギーに変換され、この電気エネルギーを貯蔵して使用する。フレームによって支持されたソーラーパネルが適切な角度で太陽の光に向けられて光の持つエネルギーが吸収される。従来のフレームとしては、例えば特許文献１の台湾実用新案Ｍ４３６８１７号の「ソーラーモジュールのフレームアセンブリおよびそのフレーム」がある。フレームアセンブリは少なくとも２つのフレームを有し、各フレームが配線収納フレームストリップと、配線収納フレームストリップと繋がり、且つソーラーパネルが装着される多数個の囲みフレームストリップを含み、配線収納フレームストリップと囲みフレームストリップとの間または囲みフレームストリップと囲みフレームストリップとの間に、連結ブロックを挿入して相互連結させることにより、長方形のフレームが形成される。
製造プロセス技術の進化と進歩にしたがって、ソーラーパネルがますます大きなサイズになり、重量も増加しており、ソーラーパネルの固定に用いる従来の長方形フレームでは、すでにその構造強度の要求を満足させることができないので、材料が次第に老化して、変形倒壊する危険性がある。
【先行技術文献】
【特許文献】
【０００４】
【特許文献１】台湾実用新案Ｍ４３６８１７号公報
【考案の概要】
【考案が解決しようとする課題】
【０００５】
本考案は上記従来の問題点に鑑みてなされたものであって、従来のソーラーパネルの支持に用いるフレームが、構造強度の不足に起因する変形により倒壊する恐れがあるという問題を解決することを主な目的とする。
【課題を解決するための手段】
【０００６】
上記の問題を解決するためになされた本考案によるソーラーパネルのフレーム強化モジュールは、ソーラーパネルを固定するためのソーラーパネルのフレーム強化モジュールであって、第１間隔で離隔される２本の第１フレームストリップと、第２間隔で離隔され且つ前記２本の第１フレームストリップの間に設けられる２本の第２フレームストリップと、前記第１フレームストリップと前記第２フレームストリップとの隣接する両端に取り付けるための４つの連結構造と、前記第１フレームストリップおよび前記第２フレームストリップにより囲まれてソーラーパネルを装着するための収納空間とを備えるフレームと、両端が前記２本の第２フレームストリップにそれぞれ固定され、前記ソーラーパネルを支持する支持棒と、を有することを特徴とする。
【考案の効果】
【０００７】
本考案のソーラーパネルのフレーム強化モジュールによれば、支持棒の両端が第２フレームストリップにそれぞれ固定されることにより、フレームの構造強度が増加され、使用者のフレーム強度に対するニーズを満足させることができる。
【図面の簡単な説明】
【０００８】
【図１】本考案の一実施形態による構造概略図である。
【図２】本考案の一実施形態による一部の部材を示す斜視図である。
【図３】本考案の他の実施形態による一部の部材を示す斜視図である。
【図４】本考案の他の実施形態による構造概略図である。
【図５】本考案の別の実施形態による一部の構造概略図である。
【考案を実施するための形態】
【０００９】
以下本考案の詳しい説明および技術内容について、添付する図面を参照して説明する。
図１は本考案の一実施形態による構造概略図であり、図２は本考案の一実施形態による一部の部材を示す斜視図である。図１、２に示すように、本考案は、ソーラーパネル５の固定に用いるソーラーパネルのフレーム強化モジュールである。ソーラーパネルのフレーム強化モジュールはフレーム１０と支持棒５０を含む。フレーム１０は、第１間隔で離隔される２本の第１フレームストリップ３０と、第２間隔で離隔され、且つ２本の第１フレームストリップ３０の間に設けられる２本の第２フレームストリップ４０と、第１フレームストリップ３０と第２フレームストリップ４０との隣接する両端に取り付けるための４つの連結構造２０Ａと、第１フレームストリップ３０および第２フレームストリップ４０により囲まれ、ソーラーパネル５を装着するための収納空間１３を備え、支持棒５０の両端は、２本の第２フレームストリップ４０にそれぞれ固定され、ソーラーパネル５を支持する。
【００１０】
連結構造２０Ａはバックル２０１とバックル受け２０２を含む。バックル２０１が第１フレームストリップ３０の一端に設けられ、バックル受け２０２が第２フレームストリップ４０の一端に設けられる。または、バックル２０１が第２フレームストリップ４０の一端に設けられ、バックル受け２０２が第１フレームストリップ３０の一端に設けられる。これにより、バックル２０１とバックル受け２０２との結合で第１フレームストリップ３０と第２フレームストリップ４０とを連結して固定させる。
【００１１】
図３は本考案の他の実施形態による一部の部材を示す斜視図であり、図４は本考案の他の実施形態による構造概略図である。この実施形態では、連結構造２０Ｂは、第１連結アーム２１と、第２連結アーム２２と、少なくとも１つの第１固定部２３と、少なくとも１つの第２固定部２４とを含み、第１連結アーム２１が角度を持って第２連結アーム２２に連結される。この好ましい角度は９０度である。第１固定部２３と第２固定部２４は、それぞれ第１連結アーム２１と第２連結アーム２２に突出形成される。
【００１２】
図３を参照すると、第１フレームストリップ３０は、第１端部３１と、第１収納部３２と、少なくとも１つの第１係止穴３４と、第１外壁面３５と、第１取付側溝３６と、第１延長部３７とを含む。第１収納部３２は、第１端部３１に設けられ、且つ第１連結アーム２１が内部に挿設されるのに用いられる。より詳細には、第１収納部３２は、第１管壁３２１と、第１管壁３２１に囲まれる第１中空通路３２２を含み、第１中空通路３２２が第１連結アーム２１を収納するのに用いられる。第１係止穴３４は、第１収納部３２の第１内壁面３３に設けられ、第１固定部２３に対応して、第１連結アーム２１を第１収納部３２に挿設する際、第１固定部２３を第１係止穴３４に係合することが可能である。第１取付側溝３６は、第１外壁面３５の外側縁から上方に第１延長部３７が延長されて形成される。即ち、第１取付側溝３６は、第１延長部３７と第１管壁３２１との間に形成される。
【００１３】
同様に、第２フレームストリップ４０は、第２端部４１と、第２収納部４２と、少なくとも１つの第２係止穴４４と、第２外壁面４５と、第２取付側溝４６と、第２延長部４７とを含む。第２収納部４２は、第２端部４１に設けられて、第２連結アーム２２が内部に挿設するのに用いられる。より詳細には、第２収納部４２は、第２管壁４２１と、第２管壁４２１に囲まれる第２中空通路４２２を含み、第２中空通路４２２が第２連結アーム２２の収納に用いられる。第２係止穴４４は、第２収納部４２の第２内壁面４３に設けられ、且つ第２固定部２４に対応して、第２連結アーム２２を第２収納部４２に挿設する際、第２固定部２４を第２係止穴４４に係合することが可能である。第２取付側溝４６は、第２外壁面４５の外側縁から上方に第２延長部４７が延長されて形成される。即ち、第２取付側溝４６は、第２延長部４７と第２管壁４２１との間に形成される。本実施形態では、第１係止穴３４と第２係止穴４４が凹溝または貫通穴である。
【００１４】
支持棒５０を第２フレームストリップ４０に固定する方法には、多数の実施形態がある。例を挙げると、図２に示すように、第２フレームストリップ４０は固定クランプブロック４０１を設けることが可能である。固定クランプブロック４０１が支持棒５０の一端を挟持することで、第２フレームストリップ４０が固定される。一実施形態では、支持棒５０がＩ字型部材であり、固定クランプブロック４０１がＩ字型部材と係合できる構造を備えることにより、互いに固定して連結される。また、図４に示すように、第２フレームストリップ４０は、貫通穴４０２とボルト４８を有し、貫通穴４０２を支持棒５０のボルト穴５１に位置合わせ後、ボルト４８を貫通穴４０２を通してボルト穴５１に螺合することにより、支持棒５０を第２フレームストリップ４０に固定することができる。
【００１５】
図５は本考案の別の実施形態による一部の構造概略図であるが、図５に示すように、別の実施形態では、第２フレームストリップ４０も貫通穴４０２とリベット４９を有することができ、貫通穴４０２を支持棒５０のリベット穴５２に位置合わせ後、リベット４９を貫通穴４０２を通してリベット穴５２に打ち込むことにより、支持棒５０を第２フレームストリップ４０に固定することができる。
【００１６】
連結構造２０Ｂにおける第１連結アーム２１の一端および第２連結アーム２２の一端は、それぞれ第１フレームストリップ３０内および第２フレームストリップ４０内に挿設されるとともに、第１固定部２３と第１係止穴３４および第２固定部２４と第２係止穴４４が互いに係合固定され、これにより、第１フレームストリップ３０と第２フレームストリップ４０はしっかりと連結される。その際、連結構造２０Ｂにおける第１連結アーム２１の他端は９０度の角度で第２連結アーム２２の他端に連結される。なお、第１フレームストリップ３０と第２フレームストリップ４０が連結構造２０Ｂによって互いに固定されることにより、第１取付側溝３６と第２取付側溝４６がソーラーパネルの固定に用いられる支持溝を形成し、多数個の支持溝により、ソーラーパネル５はしっかりと支持される。
【００１７】
上述したように、本考案のフレーム強化モジュールの利点は、支持棒の両端がそれぞれ第２フレームストリップに固定されることにより、フレームの構造強度を増加してソーラーパネルをしっかりと支持することができる点にある。
【符号の説明】
【００１８】
５    ソーラーパネル
１０    フレーム
１３    収納空間
２０Ａ、２０Ｂ    連結構造
２１    第１連結アーム
２２    第２連結アーム
２３    第１固定部
２４    第２固定部
３０    第１フレームストリップ
３１    第１端部
３２    第１収納部
３３    第１内壁面
３４    第１係止穴
３５    第１外壁面
３６    第１取付側溝
３７    第１延長部
４０    第２フレームストリップ
４１    第２端部
４２    第２収納部
４３    第２内壁面
４４    第２係止穴
４５    第２外壁面
４６    第２取付側溝
４７    第２延長部
４８    ボルト
４９    リベット
５０    支持棒
５１    ボルト穴
５２    リベット穴
２０１    バックル
２０２    バックル受け
３２１    第１管壁
３２２    第１中空通路
４０１    固定クランプブロック
４０２    貫通穴
４２１    第２管壁
４２２    第２中空通路
【図１】
0003205882.tif 000003
【図２】
0003205882.tif 000004
【図３】
0003205882.tif 000005
【図４】
0003205882.tif 000006
【図５】
0003205882.tif 000007